(57)【要約】【課題】カウンタ上の商品を容易に移動させることができるとともに、メンテナンスが容易であるレジカウンタを提供する。【解決手段】レジカウンタ１０は、キャッシュレジスタ１４が設置されたカウンタ１２と、カウンタ１２上に設けられ、商品Ｓの移動方向に沿って複数の直線リブ２０Ａが形成された樹脂製のスライダーボード１８と、を備える。レジカウンタ１０に載置された商品Ｓを移動させる際、商品Ｓはスライダーボード１８の直線リブ２０Ａ上を摺動するため、商品Ｓの摺動抵抗が低減し、商品Ｓを小さい力で移動させることができる。【選択図】図１
2018019903.tif 000002
【特許請求の範囲】
【請求項１】
キャッシュレジスタが設置されたカウンタと、
前記カウンタ上に設けられ、商品の移動方向に沿って複数のリブが形成された樹脂製のスライダーボードと、
を備えるレジカウンタ。
【請求項２】
前記スライダーボードは、前記カウンタに着脱可能に載置されており、前記スライダーボードと前記カウンタとの間には、滑止め部材が設けられている、請求項１に記載のレジカウンタ。
【請求項３】
前記スライダーボードには、磁石が嵌合された嵌合穴が形成されており、前記カウンタ上には、前記磁石に磁着される磁性体が取付けられている、請求項１又は２に記載のレジカウンタ。
【発明の詳細な説明】
【技術分野】
【０００１】
本発明は、レジカウンタに関する。
【背景技術】
【０００２】
店舗のレジカウンタでは、一般的に、買い物客と従業員とを隔てているテーブルの天板部（以下、「カウンタ」という）に、買い物客が店内で選んで持ってきた個々の商品（以下、「個別商品」という）、又は複数の個別商品が入れられた買い物かご（以下、個別商品と買い物かごを併せて「商品」という）を載置する。
【０００３】
このとき、従業員は、レジカウンタの中央部等に設けられたバーコードリーダによって、個別商品毎に貼付けられたバーコードをそれぞれ読み取り、キャッシュレジスタで料金の精算を行う。なお、個別商品にバーコードではなくＩＣタグ等が貼付けられている場合も、ＩＣタグ等に対応したリーダを用いて上記の流れと同様の作業、処理が行われる。
【０００４】
このようなレジカウンタでは、まず、買い物客が、買い物客から見て手近なカウンタの手前側（一端部）に商品を載置し、次に、その載置された重い商品を従業員がカウンタの奥側（中央部）に引き寄せて移動させ、個別商品を１個ずつバーコードリーダで読み取る必要がある。このため、長時間にわたって重い商品を引き寄せる作業を繰り返すことは、従業員にとって重労働となっていた。
【０００５】
この問題を解決するため、例えば特許文献１には、回転自在な支軸、及び支軸に掛けまわされたネットベルトからなり、支軸の回転力によってネットベルト上に載置された商品をネットベルトとともに小さい力で移動させることのできる滑り補助具が開示されている。
【先行技術文献】
【特許文献】
【０００６】
【特許文献１】実用新案登録第３１１６２１３号公報
【発明の概要】
【発明が解決しようとする課題】
【０００７】
しかし、特許文献１の滑り補助具は、ベアリングを介して回転する支軸及びネットベルト等の可動部を含むため、構成が複雑である。また、支軸の軸受部等にゴミや埃等が入り込んだ際に、支軸の回転力が低下して商品を小さい力で移動させることが困難となる虞があり、かつ、構成が複雑であるため、ゴミや埃等の除去が困難であるとともにメンテナンスに時間や費用がかかる。
【０００８】
本発明は上記事実を考慮し、カウンタ上の商品を容易に移動させることができるとともに、メンテナンスが容易であるレジカウンタを提供することを目的とする。
【課題を解決するための手段】
【０００９】
請求項１に記載のレジカウンタは、キャッシュレジスタが設置されたカウンタと、前記カウンタ上に設けられ、商品の移動方向に沿って複数のリブが形成された樹脂製のスライダーボードと、を備える。
【００１０】
上記構成によれば、商品の移動方向に沿ってリブが形成されたスライダーボードがカウンタ上に設けられているため、レジカウンタに載置された商品を移動させる際、商品はスライダーボードのリブの先端部のみと接してスライダーボード上を摺動する。
【００１１】
このため、商品が直接カウンタの上面に接して摺動する構成と比較して、商品の底面とレジカウンタとの当接面積が狭くなるため摺動抵抗が低減し、商品を比較的小さい力で移動させることができる。また、カウンタ上に支軸やネットベルト等を備えた滑り補助具を設ける構成と比較して、簡易な構成とすることができ、メンテナンスが容易となる。
【００１２】
さらに、リブを設けることにより、商品がリブに沿った方向に移動し易くなるため、摺動中に商品が自然に横にずれてカウンタから落下することを抑制することができる。なお、本発明において、「商品」には商品自体の他、複数の商品が入れられた買い物かご等も含まれる。
【００１３】
請求項２に記載のレジカウンタは、請求項１に記載のレジカウンタにおいて、前記スライダーボードは、前記カウンタに着脱可能に載置されており、前記スライダーボードと前記カウンタとの間には、滑止め部材が設けられている。
【００１４】
上記構成によれば、スライダーボードがカウンタに着脱可能に載置されているため、スライダーボードが汚れた場合や傷ついた場合、あるいはスライダーボード下のカウンタの天面が汚れた場合に、清掃や交換等のメンテナンスを誰でも容易に、短時間かつ費用をかけずに行うことができる。また、スライダーボードとカウンタとの間に滑止め部材が設けられているため、カウンタ上でスライダーボードの位置がずれることを抑制することができる。
【００１５】
請求項３に記載のレジカウンタは、請求項１又は２に記載のレジカウンタにおいて、前記スライダーボードには、磁石が嵌合された嵌合穴が形成されており、前記カウンタ上には、前記磁石に磁着される磁性体が取付けられている。
【００１６】
上記構成によれば、スライダーボードに嵌合された磁石とカウンタ上に取付けられた磁性体とを磁着させることで、スライダーボードがカウンタから外れることを抑制することができる。
【発明の効果】
【００１７】
本発明によれば、カウンタ上の商品を容易に移動させることができるとともに、メンテナンスが容易であるレジカウンタを提供することができる。
【図面の簡単な説明】
【００１８】
【図１】本発明の第１実施形態におけるレジカウンタを示す平面図である。
【図２】図１におけるＡ−Ａ線断面図である。
【図３】本発明の第１実施形態におけるレジカウンタに設けられたスライダーボードを示す底面図である。
【図４】（Ａ）は本発明の第２実施形態におけるレジカウンタを示す平面図であり、（Ｂ）は（Ａ）におけるＢ−Ｂ線断面図である。
【発明を実施するための形態】
【００１９】
（第１実施形態）
以下、本発明の第１実施形態に係るレジカウンタについて、図１〜図３を参照して説明する。
【００２０】
図１に示すように、第１実施形態のレジカウンタ１０は、平面視でＬ字形状とされたカウンタ１２を備えている。カウンタ１２の短辺部分はレジ設置部１２Ａとされており、レジ設置部１２Ａの上部にキャッシュレジスタ１４が設置されている。
【００２１】
一方、カウンタ１２の長辺部分は商品載置部１２Ｂとされており、商品載置部１２Ｂの長手方向が商品Ｓの移動方向とされている。また、商品載置部１２Ｂの上部における長手方向中央部には、商品Ｓに貼付けられているバーコードを読取るバーコードリーダ１６が設置されており、長手方向両端部には、バーコードリーダ１６を間に挟んで一対のスライダーボード１８が載置されている。
【００２２】
図１〜図３に示すように、スライダーボード１８は、ポリアセタール等の樹脂から成る矩形形状の平板であり、表面側（図２における上面側）及び裏面側（図２における下面側）にそれぞれ突出する断面菱形形状の複数の直線リブ２０Ａが一体形成されている。
【００２３】
なお、直線リブ２０Ａは、スライダーボード１８の全長に亘って形成されており、商品載置部１２Ｂの長手方向（スライダーボード１８の長手方向）に沿って互いに間隔をあけて並列配置されている。
【００２４】
また、複数の直線リブ２０Ａの間には、直線リブ２０Ａに対して斜めに交差するよう配置された複数の斜めリブ２０Ｂが一体形成されている。斜めリブ２０Ｂは、スライダーボード１８の表面側（図２における上面側）及び裏面側（図２における下面側）にそれぞれ突出する断面菱形形状とされており、斜めリブ２０Ｂの突出高さは、直線リブ２０Ａの突出高さより低くされている。
【００２５】
なお、直線リブ２０Ａ及び斜めリブ２０Ｂの間は、スライダーボード１８の表面から裏面へと貫通しており、直線リブ２０Ａ及び斜めリブ２０Ｂによってスライダーボード１８がメッシュ状（網目状）とされている。
【００２６】
また、図２、図３に示すように、スライダーボード１８の四隅には、表面から裏面へと貫通する円形状の嵌合穴２２がそれぞれ形成されており、嵌合穴２２にはそれぞれ円柱形状の磁石２４が嵌合されている。
【００２７】
さらに、スライダーボード１８の裏面における長手方向両端部には、スライダーボード１８の短手方向に沿って滑止め用のシート２６が設けられている。シート２６はウレタン樹脂等から成り、磁石２４の下面を覆うように接着剤２８によってスライダーボード１８に接着されている。
【００２８】
一方、カウンタ１２の商品載置部１２Ｂの天面には、スライダーボード１８の磁石２４に対応する位置に、それぞれ磁性体３０が取付けられている。このため、磁石２４がシート２６を介して磁性体３０に磁着されることにより、スライダーボード１８がカウンタ１２の商品載置部１２Ｂに着脱可能に固定される。
【００２９】
買い物客がレジカウンタ１０へ商品Ｓを持ってきた際、図１に破線で示すように、商品Ｓはカウンタ１２の商品載置部１２Ｂの長手方向一端部（図１における右端部）に設けられたスライダーボード１８上に載置される。そして商品Ｓは、バーコードリーダ１６の前方（図１における下方）にいる従業員によって商品載置部１２Ｂの長手方向中央部に移動される。
【００３０】
同様に、バーコードリーダ１６で読取られた商品Ｓは、図１に破線で示すように、カウンタ１２の商品載置部１２Ｂの長手方向他端部側（図１における左端部側）に設けられたスライダーボード１８上に載置され、従業員によってカウンタ１２の長手方向他端部に移動される。
【００３１】
このとき、本実施形態によれば、スライダーボード１８に商品Ｓの移動方向に沿って直線リブ２０Ａが形成されているため、商品Ｓはスライダーボード１８の直線リブ２０Ａ上を摺動する。
【００３２】
このため、商品Ｓが商品載置部１２Ｂの天面を直接摺動する構成と比較して、商品Ｓとレジカウンタ１０との当接面積が狭くなるため摺動抵抗が低減し、商品Ｓを小さい力で移動させることができる。また、商品Ｓがスライダーボード１８上を直線リブ２０Ａに沿った方向に移動し易くなるため、摺動中に商品Ｓが自然に横にずれてカウンタ１２から落下することを抑制することができる。
【００３３】
また、直線リブ２０Ａが一体形成されたスライダーボード１８を商品載置部１２Ｂ上に載置することにより、商品Ｓの摺動性を向上させることができる。このため、商品載置部１２Ｂの上部に支軸やネットベルト等の他の滑り補助具を設ける構成と比較して、簡易な構成とすることができ、メンテナンスが容易となる。
【００３４】
さらに、本実施形態によれば、スライダーボード１８がメッシュ状とされており、カウンタ１２の商品載置部１２Ｂに着脱可能に載置されている。このため、スライダーボード１８が汚れた場合や傷ついた場合に、容易に清掃したり交換したりすることができる。
【００３５】
また、スライダーボード１８に取付けられた磁石２４が、滑止め用のシート２６を介してカウンタ１２の商品載置部１２Ｂの天面に取付けられた磁性体３０に磁着されている。このため、スライダーボード１８を容易に商品載置部１２Ｂに固定することができるとともに、スライダーボード１８が商品載置部１２Ｂから外れたり位置がずれたりすることを抑制することができる。
【００３６】
なお、磁石２４は、スライダーボード１８に形成された嵌合穴２２に嵌合され、下面がシート２６で覆われている。このため、磁石２４のスライダーボード１８への位置決めが容易であるとともに、磁石２４がスライダーボード１８から外れることを抑制することができる。
【００３７】
（第２実施形態）
次に、本発明の第２実施形態に係るレジカウンタについて、図４を参照して説明する。なお、第１実施形態と同様の構成については、同じ符号を付して説明を省略する。
【００３８】
図４に示すように、第２実施形態のレジカウンタ４０は、レジ設置部４２Ａ及び商品載置部４２Ｂを有するカウンタ４２を備えている。商品載置部４２Ｂの天面には凹部４４が形成されており、凹部４４にスライダーボード４８が着脱可能に嵌合されて固定されている。
【００３９】
なお、スライダーボード４８には、バーコードリーダ１６を避けるように切欠部４８Ａが形成されており、バーコードリーダ１６が設置された部分を除いた商品載置部４２Ｂの略全面に、スライダーボード４８が載置されている。
【００４０】
第１実施形態のスライダーボード１８と同様に、スライダーボード４８は、ポリアセタール等の樹脂から成る平板であり、複数の直線リブ５０Ａ及び複数の斜めリブ５０Ｂが一体形成されたメッシュ状とされている。
【００４１】
また、カウンタ４２の商品載置部４２Ｂの長手方向他端部側（図４における左端部側）におけるスライダーボード４８の長手方向端部には、ストッパ部５２が突出形成されている。ストッパ部５２は、スライダーボード４８の短手方向に沿って延びており、突出高さが直線リブ５０Ａの突出高さより高くされている。
【００４２】
買い物客がレジカウンタ４０へ商品Ｓを持ってきた際、図４に破線で示すように、商品Ｓはカウンタ４２の商品載置部４２Ｂの長手方向一端部（図４における右端部）のスライダーボード４８上に載置される。そして商品Ｓは、従業員によって商品載置部４２Ｂの長手方向中央部又は長手方向他端部（図４における左端部）に移動される。
【００４３】
このとき、本実施形態によれば、スライダーボード４８が商品載置部４２Ｂの略全面に設けられている。このため、スライダーボード４８の直線リブ５０Ａ上を摺動させることによって、商品Ｓを商品載置部４２Ｂの長手方向一端部から長手方向他端部へと移動させることができる。
【００４４】
また、スライダーボード４８の長手方向端部にストッパ部５２が突出形成されているため、商品Ｓは商品載置部４２Ｂの長手方向他端部へと移動した後、ストッパ部５２に当接する。このため、商品載置部４２Ｂの長手方向他端部から商品Ｓが落下することを抑制することができる。
【００４５】
さらに、商品載置部４２Ｂの天面に形成された凹部４４に、スライダーボード４８を嵌合させることによって固定している。このため、容易にスライダーボード４８を商品載置部４２Ｂ上に固定することができるとともに、スライダーボード４８を簡易な構成とすることができ、メンテナンスも容易となる。
【００４６】
（その他の実施形態）
なお、本発明の第１実施形態及び第２実施形態について説明したが、本発明はかかる実施形態に限定されるものではなく、本発明の範囲内にて他の種々の実施形態が可能である。また、第１実施形態及び第２実施形態は適宜組合わせることが可能である。
【００４７】
例えば、第１実施形態、第２実施形態では、カウンタ１２、４２が平面視でＬ字形状とされ、商品載置部１２Ｂ、４２Ｂの長手方向中央部にバーコードリーダ１６が設置されていた。しかし、レジカウンタ１０、４０はどのような構成、形状とされていてもよい。
【００４８】
また、スライダーボード１８、４８の形状や配置も上記実施形態には限られず、例えば複数のスライダーボード片を互いに嵌合させて組合わせることにより、一枚の大きなスライダーボードを形成してもよい。この場合、汚れたり傷ついたりしたスライダーボード片のみを清掃、交換することが可能となる。
【００４９】
さらに、第１実施形態では、スライダーボード１８に磁石２４及びシート２６が取付けられていたが、磁石２４のみ又はシート２６のみがスライダーボード１８に設けられていてもよく、また、磁石２４及びシート２６の位置や形状等も実施形態には限られない。
【００５０】
例えば、磁石２４の下面以外の部分を非磁性体で覆って磁石２４の上面と商品Ｓの下面との間隔を確保することにより、スライダーボード１８上を摺動する商品Ｓが磁性体であったとしても、商品Ｓが磁石２４に磁着されることを抑制することができる。また、シート２６をスライダーボード１８の裏面全体に接着することにより、スライダーボード１８の位置がずれることをより抑制することができる。
【００５１】
また、第１実施形態、第２実施形態では、商品載置部１２Ｂ、４２Ｂの上部にバーコードリーダ１６が載置されていたが、商品ＳにバーコードではなくＩＣタグ等が貼付けられている場合には、商品載置部１２Ｂの上部にＩＣタグ等に対応したリーダが載置されていてもよい。さらに、商品載置部１２Ｂ、４２Ｂの上部にバーコードリーダ１６等のリーダを載置せずに、商品価格を直接キーボード等によって手動でキャッシュレジスタ１４に入力してもよい。
【符号の説明】
【００５２】
１０、４０                  レジカウンタ
１２、４２                  カウンタ
１４                        キャッシュレジスタ
１８、４８                  スライダーボード
２０Ａ、５０Ａ              直線リブ（リブ）
２２                        嵌合穴
２４                        磁石
２６                        シート（滑止め部材）
３０                        磁性体
【図１】
2018019903.tif 000003
【図２】
2018019903.tif 000004
【図３】
2018019903.tif 000005
【図４】
2018019903.tif 000006